(57)【要約】【課題】  軒樋曲がり継手の屈折角度を変更するためにこれを切断する時に、現場で切断用の目印線を罫書く必要がなく、容易にかつ確実に切断作業ができる軒樋曲がり継手を提供する。【解決手段】  平面視略Ｌ字形状の継手本体の両端部に軒樋接続部を有する軒樋曲がり継手において、前記継手本体の出隅側コーナー部と入隅側コーナー部とを結ぶ中心線に対して左右対称となるように、前記継手本体の表面に、少なくとも一対の切断用の目印線が入隅側コーナー部から出隅側に向って設けられている。【選択図】  図１
2005133335.tif 000002
【特許請求の範囲】
【請求項１】
平面視略Ｌ字形状の継手本体の両端部に軒樋接続部を有する軒樋曲がり継手において、
前記継手本体の出隅側コーナー部と入隅側コーナー部とを結ぶ中心線に対して左右対称となるように、
前記継手本体の表面に、少なくとも一対の切断用の目印線が入隅側コーナー部から出隅側に向って設けられている
ことを特徴とする軒樋曲がり継手。
【発明の詳細な説明】
【技術分野】
【０００１】
本発明は、平面視略Ｌ字形状の継手本体の両端部に軒樋接続部を有する軒樋曲がり継手に関する。
【背景技術】
【０００２】
軒樋曲がり継手としては、樋状本体の両側壁の上端に、内方に屈曲した係止爪が設けられ、軒樋の耳部の上面に係止できるようになされたものが知られている（例えば、特許文献１参照。）。
【０００３】
一方、家屋においては、妻側屋根と桁側屋根とで、その軒先同士がなす角度は必ずしも一定とはならない場合もある。一般的には、軒樋曲がり継手は、その屈折角度が９０°となるように作成されている。従って、軒樋曲がり継手を用いて、妻側軒樋と桁側軒樋とを屋根の入隅又は出隅で連結する場合、連結箇所におけるそれぞれの軒樋同士の軸がなす角度と用いられる軒樋継手の屈折角度とが異なる場合が生じる。
【０００４】
このようなことが発生した場合、軒樋曲がり継手をその継手本体の出隅側コーナー部と入隅側コーナー部とを結ぶ中心線に対して左右対称となる位置で切断し、各切断線と中心線とのなす角度がそれぞれ同角度で切断面同士の長さが同じとなるようにし、この切断面同士を突き合わせて接着するか、あるいは突合せ面近傍を樹脂製の溶接棒を使用して溶接して、軒樋曲がり継手の屈折角度が軒樋同士のなす角度と一致するように加工して用いることが行われている。
【０００５】
しかしながら、特許文献１に記載されている従来の軒樋曲がり継手においては、この作業における切断の必要が生じる毎に、軒樋曲がり継手の底面や側壁面に切断用の目印線を罫書き、この目印線に沿って軒樋曲がり継手を切断するという作業が行われる。しかしながら、通常、軒樋曲がり継手の縦断面形状は、部分的又は全部が曲面になっている場合が多い（例えば、図３参照。）ので、作業現場で正確な切断用の目印線を罫書くことが難く、従って目印線が不正確になり易いという問題点があった。
【特許文献１】特開平０７−１６６６６６号公報
【発明の開示】
【発明が解決しようとする課題】
【０００６】
本発明の目的は、軒樋曲がり継手の屈折角度を変更するためにこれを切断する時に、現場で切断用の目印線を罫書く必要がなく、容易にかつ確実に切断作業ができる軒樋曲がり継手を提供することである。
【課題を解決するための手段】
【０００７】
請求項１に記載の本発明は、平面視略Ｌ字形状の継手本体の両端部に軒樋接続部を有する軒樋曲がり継手において、前記継手本体の出隅側コーナー部と入隅側コーナー部とを結ぶ中心線に対して左右対称となるように、前記継手本体の表面に、少なくとも一対の切断用の目印線が入隅側コーナー部から出隅側に向って設けられているものである。
【０００８】
本発明の軒樋曲がり継手の材質は、切断が可能な材料であれば特に限定されず、例えば、塩化ビニル樹脂、ポリカーボネート、ポリフェニレンサルファイド等の熱可塑性樹脂、上記樹脂に繊維補強材又は充填剤を添加した複合樹脂などが挙げられる。
【０００９】
軒樋曲がり継手と軒樋の接続方法は、接着方式やシール材方式が採用できる。
【００１０】
軒樋曲がり継手の継手本体の形状は平面視略Ｌ字形状をしており、その出隅側コーナー部と入隅側コーナー部とを結ぶ中心線に対して左右対称形とされている。罫書かれた切断用の目印線と中心線とがなす角度とを同じ角度とすれば、その中心線に沿って継手本体を切断した際に、左右の切断部材の形状は対称形となる。従って、切断用の目印線に沿って軒樋曲がり継手を切断すれば、左右の両切断部材の切断面同士は同じ長さで同一形状となるので、両方の切断面同士を突き合わせて溶接又は接着して接合すれば、屈折角度が大きくなった軒樋曲がり継手となる。
【００１１】
切断用の目印線は、軒樋曲がり継手の継手本体に罫書かれる。目印線の罫書き長さは、切断時にこの線を外さずに切断可能な目印として必要な長さであれば、特に限定されない。例えば、継手本体の入隅側コーナー部から出角側コーナー部近傍まで、連続又は断続して罫書かれていても良い。
【００１２】
切断用の目印線は、継手本体の内面又は外面の少なくともいずれかに罫書かれていれば良い。但し、施工後の外観状の見栄えを考慮すると、継手本体の内面側に設けられるのが良い。
【００１３】
罫書かれる切断用の目印線は、複数対であっても良い。複数の切断用の目印線が罫書かれていると、罫書かれた角度の場合のみならず、切断用の目印線同士の間を見当をつけて切断することで、屈折角度が異なる任意の角度で切断が出来るので、妻側と桁側の軒樋同士のあらゆる異なる角度に対応し易い。従って、切断用の目印線は、二対ないし三対程度以上罫書かれることが好ましい。
【００１４】
罫書かれる切断用の目印線には、切断用の目印線であることを表す識別記号を表示しておくと良い。例えば、その切断用の目印線に沿って切断し切断面同士を突き合わせた時に得られる屈折角度の数値等である。加えて、切断用の目印線が複数の場合は、切断用の目印線毎に識別記号を表示したり、切断用の目印線毎に色を変えたり線の太さや断続形状を変えておくと、対となる直線同士がどれであるかを、目視で容易に判別出来るので、そのようにされることが好ましい。
【００１５】
罫書く方法は、目印線が輸送中に消えることがなければ特に限定されない。例えば、軒樋曲がり継手の材質に適したインキで継手本体に直接スタンピングする、又は、金型に切断用の目印線に対応する模様を設け、この模様が成型時に継手本体の表面に形成されるようにしても良い。なお、この模様は凹凸状のいずれであっても良いが、雨水の流下を妨げないように、不連続の模様として模様の切れ目から雨水が容易に流れるようにされていることが好ましい。
【００１６】
本発明の軒樋曲がり継手を切断する方法は、その材質に適した切断具で切断されれば良く、特に限定されない。即ち、一般的な金属用鋸やグラインダー等であって、手挽き又は電動のいずれでも良く、手持ちでも据え置きであっても良い。
【００１７】
切断後の切断面同士の接合は、接合面同士を突き合わせて溶接又は接着する方式など、適宜選択して採用されれば良い。
【発明の効果】
【００１８】
本発明の軒樋曲がり継手は、継手本体の表面に、その線に沿って継手本体を切断すれば切断された両切断部材の切断面の形状が同じとなる位置に切断用の目印線が設けられているので、軒樋曲がり継手の屈折角度を変更するためにこれを切断する時に、現場で切断用の目印線を罫書く必要がなく、容易にかつ確実に切断作業ができる。
【発明を実施するための最良の形態】
【００１９】
次に図面を参照して本発明を説明する。図１は切断用の目印線が複数対罫書かれた軒樋曲がり継手の一例を示す平面図である。図２はその一つの切断用の目印線に沿って切断し、切断面同士を突き合わせて溶接接合した軒樋曲がり継手の一例を示す平面図である。
【００２０】
軒樋曲がり継手１は、継手本体２の両端に軒樋が接続される軒樋接続部３１、３２が設けられている。継手本体２は、そのほぼ中央部で平面視略Ｌ字形状に屈折され、出隅側コーナー部２１と入隅側コーナー部２２とを結ぶ中心線Ｓに対して、平面形状が左右対称形とされている。なお、軒樋接続部３１又は３２の断面形状は、従来の軒樋継手の形状（図３参照。）と同じである。
【００２１】
中心線Ｓの両側に位置している継手本体２の内面には、入隅側コーナー部２２から出隅側に向って、三対の切断用の目印線４１１−４１２、４２１−４２２、４３１−４３２が罫書かれている。
【００２２】
継手本体２は中心線Ｓに対して左右対称形とされているから、罫書かれている切断用の目印線４１１−４１２、４２１−４２２、４３１−４３２の中心線Ｓとのなす角度は、それぞれ同じ角度となる。
【００２３】
この軒樋曲がり継手を、妻側と桁側のそれぞれの軒樋同士が鈍角（本例では１００°程度）で交差する出隅部に使用する場合の一例を説明する。
図１の軒樋曲がり継手において、切断前の継手本体２の屈折角度は、約９０°とされ、継手本体２の内面の、切断後に切断面を突き合わせた時に屈折角度が１００°、１１０°又は１２０°となる位置に、切断用の目印線４１１−４１２と目印線４２１−４２２と目印線４３１−４３２の三対の切断用の目印線が罫書かれている。この三対の目印線は、中心線Ｓに対して、それぞれ左右対称になっている。
【００２４】
そのうちの、屈折角度が１００°と記載された切断用の目印線４１１−４１２に沿って継手本体２を切断し、その切断面同士を突き合わせて溶接接合すれば、屈折角度が約１００°に加工された軒樋曲がり継手となる。従って、これを用いれば、切断前の軒樋曲がり継手では角度が合わなかった軒樋同士の接合ができる。
【図面の簡単な説明】
【００２５】
【図１】切断用の目印線が複数対罫書かれた軒樋曲がり継手の一例の平面図である。
【図２】一つの切断用の目印線に沿って切断され、切断面同士を突き合わせて接合され屈折角度が大きくされた軒樋曲がり継手の一例の平面図である。
【図３】軒樋曲がり継手の軒樋接続部の一例の縦断面図である。
【符号の説明】
【００２６】
１  軒樋曲がり継手
２  継手本体
２１  出隅側コーナー部
２２  入隅側コーナー部
３１、３２  軒樋接続部
４１１−４１２、４２１−４２２、４３１−４３２  切断用の目印線対
Ｓ  中心線
【図１】
2005133335.tif 000003
【図２】
2005133335.tif 000004
【図３】
2005133335.tif 000005